(57)【特許請求の範囲】
【請求項１】
基体に対し取付部材を取り付けるものであって、
基体又は取付部材の一方に取付面を設定し、その取付面に開口する有底溝を設けるとともに、その有底溝の底面に係合凹部を設け、この係合凹部に基体又は取付部材の他方から突出させた係合凸部を係り合わせて、取付部材を基体に支持させるようにする一方、前記他方から位置決め片を突出させ、基体に取付部材を取り付けた状態で前記位置決め片が前記有底溝の各側面に接触又は近接するようにし、
前記位置決め片が、有底溝の延長方向に直交するように挿入されるものであり、先端に向かって徐々に幅寸法が小さくなるようにその各側縁を傾斜させていることを特徴とする部材取付構造。
【請求項２】
位置決め片が一枚板状のものである請求項１記載の部材取付構造。
【請求項３】
複数の係合凸部を有するものにおいて、各係合凸部に対応して位置決め片をそれぞれ設けている請求項１又は２記載の部材取付構造。
【請求項４】
係合凹部が有底溝の底壁に貫通するフック孔であるとともに、係合凸部が屈曲するフック爪であり、これらフック孔とフック爪との係り合い状態において、フック爪が前記底壁裏面に接触してフック爪のフック孔からの離脱を阻止するものである請求項１、２又は３記載の部材取付構造。
【請求項５】
基体が家具本体であり、取付部材がオプション部材を支持するものである請求項１、２、３又は４記載の部材取付構造。
【発明の詳細な説明】
【０００１】
【発明の属する技術分野】
本発明は、基体に対し部材を好適に取り付けるための部材取付構造に関する。
【０００２】
【従来の技術】
従来、フック孔にフック爪を引っかけて、オプション部材等の取付部材を、家具本体等の基体に取り付ける方式が知られている。係る方式は、取付部材の着脱が容易でしかも重量支持を好適に行えるという利点がある。特に家具の分野では、目地を形成する有底溝の底壁にフック孔を設けて、見映え等を良好にすることがしばしば行われている。
【０００３】
【発明が解決しようとする課題】
しかしながら、フック孔にフック爪を引っかけるという方式は、取付部材の重量支持を好適に行えるものの、特に取付部材の左右方向に対する正確な位置決めや取付部材の左右の揺れを防止することが難しい。これは、着脱を容易化するために、フック孔の幅寸法をフック爪の幅寸法よりもかなり大きくとって左右に遊びのある状態に設定せざるを得ないからである。
【０００４】
そこで本発明は、家具等において有底溝の底壁にフック孔を設けた構成が既にあることに着目し、前記フック爪とは別に前記有底溝にのみ嵌まり込んで取付部材の左右の揺れや動きを抑制する位置決め片を設けることにより、極めて簡単な構成で、しかもフック爪等の係合凸部とフック孔等の係合凹部との係脱容易性を損なうことなく、取付部材を基体に対して確実に位置決めして取り付けられるようにしたものである。
【０００５】
【課題を解決するための手段】
すなわち、本発明に係る部材取付構造は、基体に対し取付部材を取り付けるものであって、基体又は取付部材の一方に取付面を設定し、その取付面に開口する有底溝を設けるとともに、その有底溝の底面に係合凹部を設け、この係合凹部に基体又は取付部材の他方から突出させた係合凸部を係り合わせて、取付部材を基体に支持させるようにする一方、前記他方から位置決め片を突出させ、基体に取付部材を取り付けた状態で前記位置決め片が前記有底溝の各側面に接触又は近接するようにしたことを特徴とする。
【０００６】
このようなものであれば、有底溝の延長方向（説明の便宜上、以下縦方向という場合もある）に沿った荷重等を、係合凹部と係合凸部との係り合いにより支持させる一方、有底溝の延長方向と直交する向き（説明の便宜上、以下左右方向という場合もある）に沿った取付部材の揺れや移動等を位置決め片により抑制することができる。したがって、係合凹部と係合凸部とを係り合い状態で左右に遊びが生じるように設定して係脱容易性を担保しつつ、取付部材を基体に対して左右方向にがた無く確実に位置決めして取り付けることができる。
【０００７】
取付部材の着脱容易性を損なうことなく、簡単な構成で本発明を実現するには、位置決め片が、有底溝の延長方向に直交するように挿入される一枚板状のものであり、先端に向かって徐々に幅寸法が小さくなるようにその各側縁を傾斜させているものが好ましい。
【０００８】
左右の位置決めをより確実に行うには、複数の係合凸部を有するものにおいて、各係合凸部に対応して位置決め片をそれぞれ設けているものが望ましい。
【０００９】
本発明の効果が特に顕著となる好ましい実施態様としては、係合凹部が有底溝の底壁に貫通するフック孔であるとともに、係合凸部が屈曲するフック爪であり、これらフック孔とフック爪との係り合い状態において、フック爪が前記底壁裏面に接触してフック爪のフック孔からの離脱を阻止するものを挙げることができる。
【００１０】
基体に何ら追加加工等の改造を施さずにすみ、極めて容易に本発明を実現するためには、基体が家具本体であり、取付部材がオプション部材を支持するものが好ましい。家具等の分野において有底溝の底壁にフック孔を設けた構成は既にしばしば用いられているからである。
【００１１】
【発明の実施の形態】
以下、本発明の一実施形態について図面を参照して説明する。
【００１２】
図１は、本実施例を適用した家具本体たるサーバラック１００を示している。このサーバラック１００は、サーバコンピュータやそれに付随するディスプレイ、あるいはキーボード等を複数収容するためのものであって、左右一対の側部支持体１０１を、その後端部において図示しない横架材により連結して自立性を持たせ、これら側部支持体１０１の対向する内側面に開口させたフック孔Ｆを利用して、側部支持体１０１間に天板１０４や上棚１０５を支持させてなるものである。そして、必要に応じて中間棚１０６や図示しない配線ダクト等も取り付けられるよう構成してある。
【００１３】
この側部支持体１０１について説明を加えておくと、このものは主として板金素材を塑性変形加工してなる支柱１と、この支柱１の下端を支持する支持ベース２とからなるもので、床上に対をなして対向配置される。支柱１は、図１、図９、図１２等に示すように、その外側面を形成し内方に開口する薄肉の化粧材１１と、その内側面を形成し外方に開口する厚肉の強度材１２とを溶接してなる中空のもので、その上端面には樹脂製のキャップ１３が被覆してある。また、支柱１の前面１ａにはその上下に略亘って延びる有底溝１１１を屈曲形成して、その有底溝１１１の底壁１１２に上下に長い矩形状のフック孔１１ａを複数、上下方向に沿って所定ピッチで間欠的に貫通させている。
【００１４】
このような構成において、本実施形態では、被着部材たるコンセント５を、その長手方向を有底溝１１の延長方向たる上下方向Ｘに一致させるようにして、ベース装置６を介して取付面たる支柱１の前面１ａに取り付けるようにしている。
【００１５】
コンセント５は既知のもので、図２、図３に示すように、その長手方向に沿って一列に複数の差込口５３が設けられてなる角柱状の本体５４と、その両端部に形成した薄板状の被着部５１、５２とを具備する。そしてこれら被着部５１、５２に止着孔たるねじ貫通孔５１ａ、５２ａをそれぞれ設けている。
【００１６】
ベース装置６は、互いに分離する取付部材たる第１ベース６Ａ及び第２ベース６Ｂからなるものである。
【００１７】
第１ベース６Ａは、図２〜図９に示すように、支柱１側に向く後面を開口させてなる板金製中空箱形のベース本体６１と、このベース本体６１に爪支持材６２を介して固定したフック爪６３とを備えたものであり、コンセント５の上部被着部５１ａと支柱１との間に介在する。
【００１８】
より具体的には、このベース本体６１における前壁６１１の上下方向中央部位には、ねじ７１を挿通させ得る止着孔６１ａが貫通させてある。この止着孔６１ａは、この第１ベース６Ａを支柱１に取り付けた状態で左右方向に延びる長孔状のものである。
【００１９】
また、第１ベース６Ａの内部中央には、側壁６１２と平行をなすように板状の爪支持材６２が上下壁６１３及び前壁６１１に支持させてあり、この爪支持材６２の後縁上端部及び下端部にそれぞれ下向きのフック爪６３がそれぞれ一体に形成してある。このフック爪６３は負荷をその肉厚方向と直交する方向から受けるもので前記フック孔１１ａの左右幅寸法に比して、その左右幅寸法（肉厚寸法）はかなり小さく設定してある。さらに、この爪支持材６２の前縁部であって前記止着孔６１ａに臨む部位には切欠部６２ａが設けてあって、後述するナット７２をこの切欠部６２ａと前壁６１１との間に挿入し得るようにしてある。
【００２０】
一方、上下壁６１３それぞれにおける中央後縁からは、矩形板状をなす位置決め片８が後方に向かって一体に延ばしてある。この位置決め片８は、先端（後方）に向かうに連れて徐々に左右幅寸法が小さくなるように、その各側縁８ａを対称的に傾斜させている平面視台形状をなすもので、その基端部における幅寸法Ｔが、前記支柱前面１ａに設けた有底溝１１１の幅寸法ｔと同一または略同一となるようにしている。
【００２１】
第２ベース６Ｂは、図２〜図９に示すように、第１ベース６Ａと略同一の構成をなすもので、各図において対応する部材には同一の符号を付してある。しかして相違点は、前壁６１１に設けた止着孔６１ｂにある。この止着孔６１ｂは、この第２１ベース６Ｂを支柱１に取り付けた状態において上下方向Ｘに延びる長孔状のもので、上下方向Ｘと直交する方向である左右水平方向Ｙに沿って３つが並び設けられている。このように３つの各止着孔６１ｂを設けたのは、コンセントの規格上、ねじ貫通孔５１ａ、５２ａを設けてある位置が中心、左側、右側の何れかに設定されていることから、その規格に適合させたものである。また、その規格に合わせてこれら各止着孔６１ｂの左右離間距離を設定している。一方、各止着孔６ｂの上下有効寸法は、前記フック孔１１ａのピッチよりも大きく設定している。あらゆる長さのコンセント５に対応できるからである。ここで、「有効寸法」とは、この止着孔６ｂを利用してベース６Ｂとコンセント５との位置調整をする場合の調整最大寸法のことである。また、前記第１ベース６Ａの止着孔６１ａの左右長さ寸法は、この第２ベース６Ｂの左右外側に位置する止着孔６ｂの外縁間距離と同一又は大きくなるように設定している。
【００２２】
次に、このコンセント５を支柱１に取り付ける方法について、その一例を以下に詳述する。
【００２３】
まずコンセント５の各被着部５１、５２に、第１ベース６Ａ及び第２ベース６Ｂを取り付ける。具体的には、コンセント５の各被着部５１、５２に設けたねじ貫通孔５１ａ、５２ａにねじ７１を前面からそれぞれ貫通させ、さらに各ベース６Ａ、６Ｂの前記止着孔６１ａ、６１ｂに当該ねじ７１をそれぞれ貫通させたうえで、このねじ７１の先端部に、前記切欠部６２ａと前壁６１１との間に挿入したナット７２を締着し、ベース６Ａ、６Ｂとコンセント５とを締め付ける。
【００２４】
この時、コンセント５の上端部に取り付ける第１ベース６Ａは、ねじ７１をしっかり締め付けて当該コンセント５に固定してよい。一方、コンセント５の下端部に取り付ける第２ベース６Ｂは、ねじ７１を若干ゆるめにして、第２ベース６Ｂがコンセント５に対してその長手方向に沿ってスライド可能な程度にしておく。
【００２５】
次に、第１ベース６Ａのフック爪６３を、支柱１のフック孔１１ａに引掛ける。この時、位置決め片８がその側縁８ａを有底溝１１１の各側面１１１ａに密接又は近接させるように嵌まりこみ、第１ベース６Ａの左右方向へのずれや揺れ等を防止する作用を営む。
【００２６】
この次にあるいはこれと略同時に、第２ベース６Ｂをコンセント５に対してスライドさせて位置調整をしつつ、第２ベース６Ｂのフック爪６３を支柱１の対応するフック孔１１ａに適切に引掛ける。
【００２７】
その後、若干ゆるめにしていたねじ７１を締め付け、第２ベース６Ｂをコンセント５に緩み無く固定する。この時、ナット７２におけるベース前壁裏面に押し当たる面７２ａには、細かい凹凸を設けるなど、滑り止め加工を施しているので、ナット７２がねじ７１と共回りすることなく、しっかりとねじ７１を締め付けることができる。
【００２８】
このようにして、コンセント５を、第１ベース６Ａ及び第２ベース６Ｂにより、取付面たる支柱前面に直接的に接することなく、支柱１に取り付けることができる。なお、取り外すときは、ベース６Ａ、６Ｂごと支柱から外してもよいし、ねじ７１を緩めてベース６Ａ、６Ｂからコンセント５を外してもよい。
【００２９】
したがって本実施形態の部材取付構造によれば、有底溝１１１の延長方向に沿って生じる荷重等を、フック孔１１ａとフック爪６３との係り合いにより支持させる一方、左右方向に生じ得るベース６Ａ、６Ｂの揺れや移動等を位置決め片８により抑制することができる。したがって、フック孔１１ａとフック爪６３とを係り合い状態で左右に遊びが生じるように設定して係脱容易性を担保しつつ、ベース６Ａ、６Ｂを支柱１に対して左右方向にがた無く確実に位置決めして取り付けることができる。
【００３０】
また、位置決め片８が、ベース本体６１が板金製であることを利用してそれに一体に設けた一枚板状のものであるため、製造やコストに負担がほとんどかからないうえ、先端に向かって徐々に幅寸法が小さくなるようにその各側縁８ａを傾斜させているため、特に容易に有底溝１１１に嵌め込むことができる。
【００３１】
加えて、各ベース６Ａ、６Ｂにおいて、位置決め片８がそれぞれ有底溝１１１の延長方向に沿って複数（２つ）設けられていることから、左右の位置決めをより確実に行うことができる。
【００３２】
さらに本実施形態では、予めサーバラック１００に設けてある有底溝１１１及びその底壁１１２に貫通させたフック孔１１ａを利用して部材取付構造を実現しているので、サーバラック１００に何ら追加加工等の改造を施さずにすみ、極めて容易にかつ安価に実現することができる。
【００３３】
なお、本発明は上記実施形態に限られるものではない。
【００３４】
例えば、位置決め片は、一枚板状のものに限られず、より立体的なものであってもよいし、基体もサーバラックに限られるものではない。取付部材もベースに限られず、種々の変形が可能である。
【００３５】
【発明の効果】
以上に詳述したように本発明によれば、縦方向に沿った荷重等を、係合凹部と係合凸部との係り合いにより支持させる一方、左右方向に沿った取付部材の揺れや移動等を位置決め片により抑制することができる。したがって、係合凹部と係合凸部とを係り合い状態で左右に遊びが生じるように設定して係脱容易性を担保しつつ、取付部材を基体に対して左右方向にがた無く確実に位置決めして取り付けることができる。
【図面の簡単な説明】
【図１】本発明の一実施形態における家具本体たるサーバラックを示す全体斜視図。
【図２】同実施形態におけるコンセント及びベースを支柱に取り付けた状態を示す斜視図。
【図３】同実施形態におけるコンセント及びベースの分解斜視図。
【図４】同実施形態における第１ベースの正面図。
【図５】同実施形態における第１ベースの背面図。
【図６】同実施形態における第２ベースの正面図。
【図７】同実施形態における第２ベースの背面図。
【図８】同実施形態におけるコンセント及びベースを支柱に取り付けた状態を示す縦断面図。
【図９】同実施形態におけるベースを支柱に取り付けた状態を示す横断面図。
【図１０】同実施形態におけるナットを示す側面図。
【図１１】同実施形態におけるナットを示す背面図。
【図１２】同実施形態における支柱を示す部分正面図。
【符号の説明】
１００・・・基体（サーバラック）
１ａ・・・取付面（支柱前面）
１１ａ・・・係合凹部（フック孔）
１１１・・・有底溝
１１１ａ・・・有底溝の側面
１１２・・・有底溝の底壁
６Ａ、６Ｂ・・・取付部材（ベース）
６３・・・係合凸部（フック爪）
８・・・位置決め片
８ａ・・・位置決め片の側縁
【図１】
0003798241.tif 000002
【図２】
0003798241.tif 000003
【図３】
0003798241.tif 000004
【図４】
0003798241.tif 000005
【図５】
0003798241.tif 000006
【図６】
0003798241.tif 000007
【図７】
0003798241.tif 000008
【図８】
0003798241.tif 000009
【図９】
0003798241.tif 000010
【図１０】
0003798241.tif 000011
【図１１】
0003798241.tif 000012
【図１２】
0003798241.tif 000013